(57)【要約】  本発明の回路形成方法および回路形成装置では、硬化性樹脂、若しくは、金属含有液の吐出予定位置の温度が測定され、その測定温度に基づいて、吐出予定位置の時間の経過に伴う温度変化が推定される。つまり、測定時刻Ｘと測定温度Ｙとの関係を示す一次式が推定される。そして、推定された一次式に基づいて、吐出予定位置の温度が所定の温度Ｔ１になると予測されるタイミング（ｔ１）で、硬化性樹脂、若しくは、金属含有液が吐出予定位置に吐出される。これにより、硬化性樹脂、若しくは、金属含有液が吐出される際の吐出予定位置の温度を一定の温度とすることが可能となり、着弾径の相違を好適に抑制することが可能となる。
2017221347.tif 000002
【特許請求の範囲】
【請求項１】
硬化性樹脂を吐出する第１吐出装置と、金属微粒子を含有する金属含有液を吐出する第２吐出装置とを用いて回路を形成する回路形成方法であって、
前記第１吐出装置による硬化性樹脂の吐出予定位置と、前記第２吐出装置による金属含有液の吐出予定位置との一方の温度を測定する測定工程と、
前記測定工程において測定された測定値に基づいて、前記吐出予定位置の時間の経過に伴う温度変化を推定する推定工程と、
前記推定工程において推定された前記吐出予定位置の温度変化に基づいて、前記吐出予定位置の温度が所定の温度になると予測されるタイミングで、前記吐出予定位置への吐出を実行する吐出実行工程と
を含む回路形成方法。
【請求項２】
前記推定工程が、前記吐出予定位置への前記第１吐出装置による硬化性樹脂の積層数と、前記吐出予定位置への前記第２吐出装置による金属含有液の積層数との一方も利用して、前記吐出予定位置の時間の経過に伴う温度変化を推定することを特徴とする請求項１に記載の回路形成方法。
【請求項３】
前記測定工程が、複数の前記吐出予定位置の温度を測定し、
前記吐出実行工程が、前記複数の吐出予定位置の各々の温度が所定の温度になると予測されるタイミングで、前記複数の吐出予定位置への吐出を順次実行する請求項１または請求項２に記載の回路形成方法。
【請求項４】
前記測定工程において前記吐出予定位置の温度が測定される前に、その吐出予定位置の温度を、温度調整装置によって調整する調整工程を含み、
前記測定工程が、前記調整工程において温度調整された前記吐出予定位置の温度を測定することを特徴とする請求項１ないし請求項３のいずれか１つに記載の回路形成方法。
【請求項５】
硬化性樹脂を吐出する第１吐出装置と、
金属微粒子を含有する金属含有液を吐出する第２吐出装置と、
前記第１吐出装置による硬化性樹脂の吐出予定位置と、前記第２吐出装置による金属含有液の吐出予定位置との一方の温度を測定する測定装置と
前記第１吐出装置と前記第２吐出装置との作動を制御する制御装置と
を備え、
前記制御装置が、
前記測定装置によって測定された測定値に基づいて、前記吐出予定位置の時間の経過に伴う温度変化を推定する推定部と、
前記推定部によって推定された前記吐出予定位置の温度変化に基づいて、前記吐出予定位置の温度が所定の温度になると予測されるタイミングで、前記吐出予定位置への吐出を実行する吐出実行部と
を有する回路形成装置。
【発明の詳細な説明】
【技術分野】
【０００１】
本発明は、硬化性樹脂を吐出する第１吐出装置と、金属微粒子を含有する金属含有液を吐出する第２吐出装置とを用いて回路を形成する回路形成方法、および回路形成装置に関する。
【背景技術】
【０００２】
近年、下記特許文献に記載されているように、紫外線の照射等により硬化する硬化性樹脂によって３次元造形物を形成する技術が開発されている。このような技術を利用して、硬化性樹脂により樹脂層を形成し、その樹脂層を用いて回路が形成される。【０００３】
【特許文献１】特開２０１３−０４３３３８号公報
【発明の開示】
【発明が解決しようとする課題】
【０００４】
上記特許文献に記載されている技術を利用して、回路が形成される際には、硬化性樹脂によって樹脂層が形成されるだけなく、金属微粒子を含有する金属含有液によって配線も形成される。このように、硬化性樹脂と金属含有液とを用いて回路が形成される際に、硬化性樹脂と金属含有液との各々は、吐出装置によって吐出されるが、吐出された際の硬化性樹脂と金属含有液と各々の着弾径が、吐出予定位置の温度によって相違する場合がある。着弾径の相違は、配線の幅の不均一，樹脂層の膜厚の不均一等を引き起こす虞があり、望ましくない。本発明は、そのような実情に鑑みてなされたものであり、本発明の課題は、硬化性樹脂、若しくは金属含有液の着弾径の相違を抑制することである。
【課題を解決するための手段】
【０００５】
上記課題を解決するために、本発明の回路形成方法は、硬化性樹脂を吐出する第１吐出装置と、金属微粒子を含有する金属含有液を吐出する第２吐出装置とを用いて回路を形成する回路形成方法であって、前記第１吐出装置による硬化性樹脂の吐出予定位置と、前記第２吐出装置による金属含有液の吐出予定位置との一方の温度を測定する測定工程と、前記測定工程において測定された測定値に基づいて、前記吐出予定位置の時間の経過に伴う温度変化を推定する推定工程と、前記推定工程において推定された前記吐出予定位置の温度変化に基づいて、前記吐出予定位置の温度が所定の温度になると予測されるタイミングで、前記吐出予定位置への吐出を実行する吐出実行工程とを含むことを特徴とする。【０００６】
また、本発明の回路形成装置は、硬化性樹脂を吐出する第１吐出装置と、金属微粒子を含有する金属含有液を吐出する第２吐出装置と、前記第１吐出装置による硬化性樹脂の吐出予定位置と、前記第２吐出装置による金属含有液の吐出予定位置との一方の温度を測定する測定装置と前記第１吐出装置と前記第２吐出装置との作動を制御する制御装置とを備え、前記制御装置が、前記測定装置によって測定された測定値に基づいて、前記吐出予定位置の時間の経過に伴う温度変化を推定する推定部と、前記推定部によって推定された前記吐出予定位置の温度変化に基づいて、前記吐出予定位置の温度が所定の温度になると予測されるタイミングで、前記吐出予定位置への吐出を実行する吐出実行部とを有することを特徴とする。
【発明の効果】
【０００７】
本発明の回路形成方法および回路形成装置では、硬化性樹脂、若しくは、金属含有液の吐出予定位置の温度が測定され、その測定温度に基づいて、吐出予定位置の時間の経過に伴う温度変化が推定される。そして、推定された吐出予定位置の温度変化に基づいて、吐出予定位置の温度が所定の温度になると予測されるタイミングで、硬化性樹脂、若しくは、金属含有液が吐出予定位置に吐出される。これにより、硬化性樹脂、若しくは、金属含有液が吐出される際の吐出予定位置の温度を一定の温度とすることが可能となり、着弾径の相違を好適に抑制することが可能となる。
【図面の簡単な説明】
【０００８】
【図１】第１実施例の回路形成装置を示す図である。
【図２】図１の回路形成装置の制御装置を示すブロック図である。
【図３】樹脂積層体が形成された状態の回路を示す断面図である。
【図４】樹脂積層体の上に配線が形成された状態の回路を示す断面図である。
【図５】樹脂積層体の上に金属インクが吐出された状態の回路を示す平面図である。
【図６】樹脂積層体の上に従来の手法に従って金属インクが吐出された状態の回路を示す平面図である。
【図７】測定時間と測定温度との関係を示すグラフである。
【図８】樹脂積層体の上に本発明の手法に従って金属インクが吐出された状態の回路を示す平面図である。
【図９】第２実施例の回路形成装置を示す図である。
【図１０】図９の回路形成装置の制御装置を示すブロック図である。
【発明を実施するための最良の形態】
【０００９】
第１実施例
回路形成装置の構成
図１に回路形成装置１０を示す。回路形成装置１０は、搬送装置２０と、第１造形ユニット２２と、第２造形ユニット２４と、測定ユニット２６と、制御装置（図２参照）２７を備える。それら搬送装置２０と第１造形ユニット２２と第２造形ユニット２４と測定ユニット２６とは、回路形成装置１０のベース２８の上に配置されている。ベース２８は、概して長方形状をなしており、以下の説明では、ベース２８の長手方向をＸ軸方向、ベース２８の短手方向をＹ軸方向、Ｘ軸方向及びＹ軸方向の両方に直交する方向をＺ軸方向と称して説明する。【００１０】
搬送装置２０は、Ｘ軸スライド機構３０と、Ｙ軸スライド機構３２とを備えている。そのＸ軸スライド機構３０は、Ｘ軸スライドレール３４とＸ軸スライダ３６とを有している。Ｘ軸スライドレール３４は、Ｘ軸方向に延びるように、ベース２８の上に配設されている。Ｘ軸スライダ３６は、Ｘ軸スライドレール３４によって、Ｘ軸方向にスライド可能に保持されている。さらに、Ｘ軸スライド機構３０は、電磁モータ（図２参照）３８を有しており、電磁モータ３８の駆動により、Ｘ軸スライダ３６がＸ軸方向の任意の位置に移動する。また、Ｙ軸スライド機構３２は、Ｙ軸スライドレール５０とステージ５２とを有している。Ｙ軸スライドレール５０は、Ｙ軸方向に延びるように、ベース２８の上に配設されており、Ｘ軸方向に移動可能とされている。そして、Ｙ軸スライドレール５０の一端部が、Ｘ軸スライダ３６に連結されている。そのＹ軸スライドレール５０には、ステージ５２が、Ｙ軸方向にスライド可能に保持されている。さらに、Ｙ軸スライド機構３２は、電磁モータ（図２参照）５６を有しており、電磁モータ５６の駆動により、ステージ５２がＹ軸方向の任意の位置に移動する。これにより、ステージ５２は、Ｘ軸スライド機構３０及びＹ軸スライド機構３２の駆動により、ベース２８上の任意の位置に移動する。【００１１】
ステージ５２は、基台６０と、保持装置６２と、昇降装置（図２参照）６４と、温度維持装置（図２参照）６６とを有している。基台６０は、平板状に形成され、上面に基板が載置される。保持装置６２は、基台６０のＸ軸方向の両側部に設けられている。そして、基台６０に載置された基板のＸ軸方向の両縁部が、保持装置６２によって挟まれることで、基板が固定的に保持される。また、昇降装置６４は、基台６０の下方に配設されており、基台６０を昇降させる。また、温度維持装置６６は、基台６０に内蔵されており、基台６０に載置された基板を所定の温度に維持する。【００１２】
第１造形ユニット２２は、ステージ５２の基台６０に載置された基板（図３参照）７０の上に配線を造形するユニットであり、第１印刷部７２と、焼成部７４とを有している。第１印刷部７２は、インクジェットヘッド（図２参照）７６を有しており、基台６０に載置された基板７０の上に、金属インクを線状に吐出する。金属インクは、金属の微粒子が溶剤中に分散されたものである。なお、インクジェットヘッド７６は、例えば、圧電素子を用いたピエゾ方式によって複数のノズルから導電性材料を吐出する。【００１３】
焼成部７４は、レーザ照射装置（図２参照）７８を有している。レーザ照射装置７８は、基板７０の上に吐出された金属インクにレーザを照射する装置であり、レーザが照射された金属インクは焼成し、配線が形成される。なお、金属インクの焼成とは、エネルギーを付与することによって、溶剤の気化や金属微粒子保護膜の分解等が行われ、金属微粒子が接触または融着をすることで、導電率が高くなる現象である。そして、金属インクが焼成することで、金属製の配線が形成される。【００１４】
また、第２造形ユニット２４は、ステージ５２の基台６０に載置された基板７０の上に樹脂層を造形するユニットであり、第２印刷部８４と、硬化部８６とを有している。第２印刷部８４は、インクジェットヘッド（図２参照）８８を有しており、基台６０に載置された基板７０の上に紫外線硬化樹脂を吐出する。なお、インクジェットヘッド８８は、例えば、圧電素子を用いたピエゾ方式でもよく、樹脂を加熱して気泡を発生させノズルから吐出するサーマル方式でもよい。【００１５】
硬化部８６は、平坦化装置（図２参照）９０と照射装置（図２参照）９２とを有している。平坦化装置９０は、インクジェットヘッド８８によって基板７０の上に吐出された紫外線硬化樹脂の上面を平坦化するものであり、例えば、紫外線硬化樹脂の表面を均しながら余剰分の樹脂を、ローラもしくはブレードによって掻き取ることで、紫外線硬化樹脂の厚みを均一させる。また、照射装置９２は、光源として水銀ランプもしくはＬＥＤを備えており、基板７０の上に吐出された紫外線硬化樹脂に紫外線を照射する。これにより、基板７０の上に吐出された紫外線硬化樹脂が硬化し、樹脂層が造形される。【００１６】
また、測定ユニット２６は、測定部１００を有している。測定部１００は、温度センサ（図２参照）１１０を有しており、温度センサ１１０によって、ステージ５２の上に載置された基板７０上の任意の位置の温度が測定される。なお、温度センサ１１０として、接触式の温度センサと非接触式の温度センサとがあるが、非接触式の温度センサを採用することが好ましい。非接触式の温度センサとしては、焦電形温度センサ，サーモパイル，放射温度計等が挙げられる。【００１７】
また、制御装置２７は、図２に示すように、コントローラ１２０と、複数の駆動回路１２２とを備えている。複数の駆動回路１２２は、上記電磁モータ３８，５６、保持装置６２、昇降装置６４、温度維持装置６６、インクジェットヘッド７６、レーザ照射装置７８、インクジェットヘッド８８、平坦化装置９０、照射装置９２に接続されている。コントローラ１２０は、ＣＰＵ，ＲＯＭ，ＲＡＭ等を備え、コンピュータを主体とするものであり、複数の駆動回路１２２に接続されている。これにより、搬送装置２０、第１造形ユニット２２、第２造形ユニット２４の作動が、コントローラ１２０によって制御される。また、コントローラ１２０は、測定ユニット２６の温度センサ１１０に接続されており、温度センサ１１０による検出値が、コントローラ１２０に入力される。【００１８】
回路形成装置の作動
回路形成装置１０では、上述した構成によって、基板７０の上に回路パターンが形成される。具体的には、ステージ５２の基台６０に基板７０がセットされ、そのステージ５２が、第２造形ユニット２４の下方に移動される。そして、第２造形ユニット２４において、図３に示すように、基板７０の上に樹脂積層体１３０が形成される。樹脂積層体１３０は、インクジェットヘッド８８からの紫外線硬化樹脂の吐出と、吐出された紫外線硬化樹脂への照射装置９２による紫外線の照射とが繰り返されることにより形成される。【００１９】
詳しくは、第２造形ユニット２４の第２印刷部８４において、インクジェットヘッド８８が、基板７０の上面に紫外線硬化樹脂を薄膜状に吐出する。続いて、紫外線硬化樹脂が薄膜状に吐出されると、硬化部８６において、紫外線硬化樹脂の膜厚が均一となるように、紫外線硬化樹脂が平坦化装置９０によって平坦化される。そして、照射装置９２が、その薄膜状の紫外線硬化樹脂に紫外線を照射する。これにより、基板７０の上に薄膜状の樹脂層１３２が形成される。【００２０】
続いて、インクジェットヘッド８８が、その薄膜状の樹脂層１３２の上に紫外線硬化樹脂を薄膜状に吐出する。そして、平坦化装置９０によって薄膜状の紫外線硬化樹脂が平坦化され、照射装置９２が、その薄膜状に吐出された紫外線硬化樹脂に紫外線を照射することで、薄膜状の樹脂層１３２の上に薄膜状の樹脂層１３２が積層される。このように、薄膜状の樹脂層１３２の上への紫外線硬化樹脂の吐出と、紫外線の照射とが繰り返され、複数の樹脂層１３２が積層されることで、樹脂積層体１３０が形成される。【００２１】
上述した手順により樹脂積層体１３０が形成されると、ステージ５２が第１造形ユニット２２の下方に移動される。そして、第１印刷部７２において、インクジェットヘッド７６が、樹脂積層体１３０の上面に金属インクを、回路パターンに応じて線状に吐出する。次に、焼成部７４において、レーザ照射装置７８が、金属インクにレーザを照射する。これにより、金属インクが焼成し、図４に示すように、樹脂積層体１３０の上に配線１３６が形成される。このように、回路形成装置１０では、紫外線硬化樹脂によって樹脂積層体１３０が形成され、金属イオンによって配線１３６が形成されることで、基板７０の上に回路パターンが形成される。【００２２】
なお、配線１３６を形成するための金属インクは、揮発成分，硬化成分等を含んでいるため、金属インクが吐出される位置（以下、「吐出予定位置」と記載する場合がある）の温度によって、金属インクの着弾径が異なる場合がある。ちなみに、金属インクの着弾径とは、インクジェットヘッド７６によって吐出された金属インクが吐出予定位置に着弾した際の金属インクの液滴の径を意味している。詳しくは、金属インクが吐出予定位置に吐出されると、着弾と同時に、揮発成分の乾燥、若しくは硬化成分の硬化が進行する。このため、吐出予定位置の温度が高い場合には、金属インクの乾燥、若しくは硬化が速く進行するため、金属インクが濡れ拡がる前に金属インクの流動性が低下し、着弾径は小さくなる。一方、吐出予定位置の温度が低い場合には、金属インクの乾燥、若しくは硬化が遅く進行するため、金属インクが濡れ拡がり、着弾径は大きくなる。このように、着弾径が異なると、金属インクの焼成により形成される配線１３６の幅等を一定にすることができないため、望ましくない。【００２３】
このため、回路形成装置１０では、基台６０に温度維持装置６６が内蔵されており、基台６０に載置される基板７０の温度が一定に保たれている。これにより、基板７０の温度が一定に保たれることで、基板７０の上に形成される樹脂積層体１３０の上面の温度、つまり、吐出予定位置の温度を一定に保つことが可能となり、金属インクの着弾径を均一にすることが可能となる。しかしながら、金属インクが吐出される樹脂積層体１３０は、複数の樹脂層１３２によって構成されており、樹脂積層体１３０を構成する樹脂層１３２の積層数によって、樹脂積層体１３０の表面温度が異なる場合がある。【００２４】
詳しくは、樹脂積層体１３０を構成する樹脂層１３２は、紫外線の照射により形成されるため、樹脂積層体１３０は周囲の温度より高くなる場合がある。このため、例えば、樹脂積層体１３０が温度維持装置６６によって冷却されるが、樹脂積層体１３０が１層の樹脂層１３２によって構成されている場合には、樹脂積層体１３０の表面温度は、比較的短い時間で、温度維持装置６６によって所定の温度に冷却される。このため、その樹脂積層体１３０の表面に吐出される金属インクは、比較的大きな着弾径の金属インクとなる。なお、図５に、１層の樹脂層１３２により構成される樹脂積層体１３０に吐出された金属インク１３８を、点線によって示す。【００２５】
一方、例えば、樹脂積層体１３０が１０層の樹脂層１３２によって構成されている場合には、樹脂積層体１３０の表面温度が、温度維持装置６６によって所定の温度に冷却されるためには、比較的長い時間を要する。このため、樹脂積層体１３０の表面温度が、温度維持装置６６によって所定の温度に冷却される前に、金属インクが樹脂積層体１３０の表面に吐出される場合がある。このような場合には、樹脂積層体１３０の表面温度は、１層の樹脂層１３２により構成される樹脂積層体１３０と比較して、１０層の樹脂層１３２により構成される樹脂積層体１３０の方が高くなり、樹脂積層体１３０の表面に吐出される金属インクは、比較的小さな着弾径の金属インクとなる。なお、図５に、１０層の樹脂層１３２により構成される樹脂積層体１３０に吐出された金属インク１３８を、一点鎖線によって示す。このように、樹脂積層体１３０を構成する樹脂層１３２の積層数によって、樹脂積層体１３０の表面温度が異なり、金属インクの着弾径が異なる場合がある。【００２６】
また、１つの樹脂積層体１３０の上に金属インクが吐出される場合であっても、吐出位置によって、着弾径が異なる場合がある。詳しくは、樹脂積層体１３０の外縁に近い位置ほど、外気への放熱効果が高いため、樹脂積層体１３０の表面温度は、樹脂積層体１３０の外縁に近いほど、低くなり、樹脂積層体１３０の中央に近いほど、高くなる。このため、図６に示すように、樹脂積層体１３０の表面に吐出された金属インク１３８の着弾径は、樹脂積層体１３０の外縁に近いほど、大きくなり、樹脂積層体１３０の中央に近いほど、小さくなる。このように、１つの樹脂積層体１３０の上に金属インクが吐出される場合であっても、吐出位置によって、着弾径が異なる場合がある。【００２７】
このようなことに鑑みて、回路形成装置１０では、測定ユニット２６において、樹脂積層体１３０の表面温度を測定し、測定された温度に基づいて、樹脂積層体１３０の表面温度の時間の経過に伴う温度変化が推定される。そして、推定された温度変化に基づいて、金属インクの吐出予定位置の温度が所定の温度となるタイミングで、金属インクの吐出が行われる。詳しくは、基板７０の上に樹脂積層体１３０が形成された後に、ステージ５２が測定ユニット２６の下方に移動され、温度センサ１１０によって、樹脂積層体１３０の吐出予定位置の温度が、所定の時間毎に複数回、測定される。そして、測定された温度は、コントローラ１２０に送信され、コントローラ１２０において記憶される。なお、金属インクは線状に吐出されるため、線状に位置する複数の吐出予定位置の温度が測定され、コントローラ１２０に送信される。また、コントローラ１２０において、測定温度とともに、測定された時刻も記憶される。【００２８】
そして、樹脂積層体１３０の吐出予定位置の温度測定が終了すると、コントローラ１２０は、記憶された測定温度と測定時刻とに基づいて、回帰分析を行うことで、吐出予定位置の時間の経過に伴う温度変化を推定する。詳しくは、例えば、測定時刻Ｘと測定温度Ｙとの間に線形回帰モデルを当てはめることで、図７に示すように、測定時刻Ｘと測定温度Ｙとの関係を示す一次式を推定する。この際、測定時刻Ｘと測定温度Ｙとの関係を示す一次式の傾き及び切片は、例えば、最小二乗法を用いて推定される。なお、測定時刻Ｘと測定温度Ｙとの関係を示す一次式は、温度測定された複数の吐出予定位置毎に推定される。そして、複数の吐出予定位置毎に、測定時刻Ｘと測定温度Ｙとの関係を示す一次式が推定されると、その一次式に基づいて、予め設定された設定温度Ｔ１に対応する時刻ｔ１が演算される。つまり、複数の吐出予定位置毎に、吐出予定位置の温度が設定温度Ｔ１になる時刻ｔ１が演算される。【００２９】
また、コントローラ１２０において上記演算が行われている間、つまり、樹脂積層体１３０の吐出予定位置の温度測定が終了した後に、ステージ５２が第１造形ユニット２２の下方に移動される。そして、第１造形ユニット２２では、複数の吐出予定位置毎に、コントローラ１２０で演算された時刻ｔ１になるタイミングで、複数の吐出予定位置に、金属インクがインクジェットヘッド７６によって順次、吐出される。つまり、複数の吐出予定位置毎に、吐出予定位置の温度が設定温度Ｔ１になるタイミングで、複数の吐出予定位置に、金属インクが、順次、スポット的に吐出される。これにより、金属インクが吐出される際の吐出予定位置の温度を一定とすることが可能となり、図８に示すように、金属インクの吐出位置に関わらず、金属インクの着弾径を均一にすることが可能となる。また、上記手法を採用することで、樹脂積層体１３０を構成する樹脂層１３２の積層数が異なる場合であっても、金属インクの着弾径を均一にすることが可能となる。そして、樹脂積層体１３０への金属インクの吐出が完了すると、焼成部７４において、金属インクの焼成が行われる。これにより、幅の均一な配線１３６が形成される。【００３０】
なお、制御装置２７のコントローラ１２０は、図２に示すように、測定部１８０と、推定部１８２と、吐出実行部１８４とを有している。測定部１８０は、温度センサ１１０により吐出予定位置の温度を測定するための機能部である。推定部１８２は、吐出予定位置の時間の経過に伴う温度変化、つまり、測定時刻Ｘと測定温度Ｙとの関係を示す一次式を推定するための機能部である。吐出実行部１８４は、推定された一次式に基づいて予測された時刻ｔ１になるタイミングで、金属インクを吐出するための機能部である。【００３１】
第２実施例
第２実施例の回路形成装置２００を図９に示す。第２実施例の回路形成装置２００は、測定ユニット２６が温度調整部１０２を有していることを除いて、第１実施例の回路形成装置１０と同じである。このため、温度調整部１０２についてのみ説明し、回路形成装置１０と同じ構成要素については、回路形成装置１０と同じ符号を用い、説明を省略する。【００３２】
温度調整部１０２は、樹脂積層体１３０の表面温度を調整するものであり、図１０に示すように、スポットクーラ１１２を有している。スポットクーラ１１２は、冷風を任意の位置に向かって送風する装置であり、測定部１００の温度センサ１１０と並んで配設されている。このため、スポットクーラ１１２は、温度センサ１１０によって測定される樹脂積層体１３０の表面の任意の位置を、冷風によって冷却することが可能である。【００３３】
上記構造の回路形成装置２００では、スポットクーラ１１２によって、樹脂積層体１３０の表面温度が均一とされた後に、第１実施例と同様に、吐出予定位置の温度が設定温度Ｔ１になる時刻ｔ１が演算され、その時刻ｔ１になるタイミングで、吐出予定位置に金属インクが吐出される。詳しくは、第２実施例の回路形成装置２００においても、基板７０の上面に、複数の樹脂層１３２が積層されることで、樹脂積層体１３０が形成される。そして、基板７０の上に樹脂積層体１３０が形成されると、ステージ５２が測定ユニット２６の下方に移動される。【００３４】
測定ユニット２６では、まず、温度センサ１１０によって、樹脂積層体１３０の複数の吐出予定位置の温度が測定される。そして、複数の吐出予定位置の各々の温度が、設定温度Ｔ１より少し高い温度Ｔ２となるように、各吐出予定位置に、スポットクーラ１１２によって冷風が吹き付けられる。この際、温度センサ１１０による吐出予定位置の温度測定は継続して行われており、測定された温度はコントローラ１２０に入力される。そして、フィードバック制御によって、吐出予定位置の温度が温度Ｔ２となるように、コントローラ１２０がスポットクーラ１１２の作動を制御する。これにより、樹脂積層体１３０の複数の吐出予定位置の温度が、全て温度Ｔ２で均一となる。【００３５】
次に、樹脂積層体１３０の複数の吐出予定位置の温度が均一になると、それら複数の吐出予定位置の温度のうちの任意の位置の温度が、温度センサ１１０によって、所定の時間毎に複数回、測定される。そして、測定された温度は、コントローラ１２０に送信され、送信された測定温度が、測定時間とともに、コントローラ１２０において記憶される。そして、樹脂積層体１３０の吐出予定位置の温度測定が終了すると、コントローラ１２０は、記憶された測定温度と測定時刻とに基づいて、回帰分析を行うことで、吐出予定位置の時間の経過に伴う温度変化、つまり、測定時刻Ｘと測定温度Ｙとの関係を示す一次式を推定する。なお、測定時刻Ｘと測定温度Ｙとの関係を示す一次式の推定手法は、第１実施例と同じであるため、説明を省略する。【００３６】
そして、測定時刻Ｘと測定温度Ｙとの関係を示す一次式が推定されると、その一次式に基づいて、設定温度Ｔ１に対応する時刻ｔ１が演算される。つまり、複数の吐出予定位置のうちの任意の位置の吐出予定位置の温度が設定温度Ｔ１になる時刻ｔ１が演算される。ただし、温度センサ１１０による温度測定が開始される前に、樹脂積層体１３０の複数の吐出予定位置の温度が、スポットクーラ１１２によって全て均一の温度とされているため、時刻ｔ１は、複数の吐出予定位置の全ての温度が設定温度Ｔ１になる時刻と考えられる。【００３７】
また、コントローラ１２０において上記演算が行われている間、つまり、樹脂積層体１３０の吐出予定位置の温度測定が終了した後に、ステージ５２が第１造形ユニット２２の下方に移動される。そして、第１造形ユニット２２では、コントローラ１２０で演算された時刻ｔ１になるタイミングで、複数の吐出予定位置の全てに、金属インクがインクジェットヘッド７６によって、連続的に吐出される。これにより、金属インクが吐出される際の吐出予定位置の温度を設定温度Ｔ１とすることが可能となり、金属インクの吐出位置，樹脂積層体１３０を構成する樹脂層１３２の積層数に関わらず、金属インクの着弾径を均一にすることが可能となる。そして、樹脂積層体１３０への金属インクの吐出が完了すると、焼成部７４において、金属インクの焼成が行われる。これにより、幅の均一な配線１３６が形成される。【００３８】
このように、第２実施例の回路形成装置２００においても、吐出予定位置の温度が設定温度Ｔ１となるタイミングを予測し、そのタイミングで金属インクを吐出することで、第１実施例の回路形成装置１０と同様に、金属インクの着弾径を均一にすることが可能となる。また、第２実施例の回路形成装置２００では、吐出予定位置の温度が、設定温度Ｔ１より少し高い温度である温度Ｔ２にスポットクーラ１１２によって強制的に冷却されている。これにより、吐出予定位置の温度が設定温度Ｔ１となるまでの時間、つまり、金属インクを吐出するまでの待機時間が短くなり、タクトタイムの短縮を図ることが可能となる。さらに言えば、第２実施例の回路形成装置２００では、複数の吐出予定位置の全ての温度がスポットクーラ１１２によって均一とされている。このため、それら複数の吐出予定位置に、金属インクを連続的に吐出することが可能となり、タクトタイムの短縮を図ることが可能となる。【００３９】
なお、制御装置２７のコントローラ１２０は、図１０に示すように、測定部１８０と、推定部１８２と、吐出実行部１８４と、調整部１８６とを有している。測定部１８０と推定部１８２と吐出実行部１８４とは、第１実施例のものと同じ機能部である。調整部１８６は、スポットクーラ１１２によって吐出予定位置の温度を任意の温度に調整するための機能部である。【００４０】
ちなみに、上記実施例において、回路形成装置１０は、回路形成装置の一例である。制御装置２７は、制御装置の一例である。インクジェットヘッド７６は、第２吐出装置の一例である。インクジェットヘッド８８は、第１吐出装置の一例である。温度センサ１１０は、測定装置の一例である。スポットクーラ１１２は、温度調整装置の一例である。推定部１８２は、推定部の一例である。吐出実行部１８４は、吐出実行部の一例である。回路形成装置２００は、回路形成装置の一例である。また、測定部１８０により実行される工程が、測定工程の一例である。推定部１８２により実行される工程が、推定工程の一例である。吐出実行部１８４により実行される工程が、吐出実行工程の一例である。調整部１８６により実行される工程が、調整工程の一例である。【００４１】
なお、本発明は、上記実施例に限定されるものではなく、当業者の知識に基づいて種々の変更、改良を施した種々の態様で実施することが可能である。例えば、上記実施例では、金属インクを吐出する手法について、説明しているが、上記手法を、紫外線硬化樹脂を吐出する手法に適用することが可能である。また、紫外線硬化樹脂に限られず、熱等により硬化する硬化性樹脂を吐出する手法に、上記手法を適用することも可能である。【００４２】
また、配線１３６が形成される際に、金属インク１３８が積層され、積層された金属インク１３８が焼成されることで、配線１３６が形成される場合がある。このような場合には、金属インクの積層数も考慮して、吐出予定位置の時間の経過に伴う温度変化が推定される。つまり、金属インクの積層数および、測定時刻Ｘと測定温度Ｙとの関係に基づいて、吐出予定位置の時間の経過に伴う温度変化が推定される。また、本発明が硬化性樹脂を吐出する手法に適用される場合には、紫外線硬化樹脂などの硬化性樹脂の積層数および、測定時刻Ｘと測定温度Ｙとの関係に基づいて、吐出予定位置の時間の経過に伴う温度変化が推定される。【００４３】
また、上記実施例では、吐出予定位置の時間の経過に伴う温度変化が推定される際に、線形回帰モデルが利用されているが、非線形回帰モデルを利用してもよい。また、最小二乗法だけでなく、種々の手法を用いて、測定時刻Ｘと測定温度Ｙとの関係を示す回帰式を推定してもよい。
【符号の説明】
【００４４】
１０：回路形成装置    ２７：制御装置    ７６：インクジェットヘッド（第２吐出装置）    ８８：インクジェットヘッド（第１吐出装置）    １１０：温度センサ（測定装置）    １１２：スポットクーラ（温度調整装置）    １８０：測定部（測定工程）    １８２：推定部（推定工程）    １８４：吐出実行部（吐出実行工程）    １８６：調整部（調整工程）    ２００：回路形成装置
【図１】
2017221347.tif 000003
【図２】
2017221347.tif 000004
【図３】
2017221347.tif 000005
【図４】
2017221347.tif 000006
【図５】
2017221347.tif 000007
【図６】
2017221347.tif 000008
【図７】
2017221347.tif 000009
【図８】
2017221347.tif 000010
【図９】
2017221347.tif 000011
【図１０】
2017221347.tif 000012
【国際調査報告】
2017221347.tif 000013
2017221347.tif 000014
2017221347.tif 000015
2017221347.tif 000016